【事件の表示】
　平成１１年商標登録願第　３８２５６号拒絶査定に対する審判事件について、次のとおり審決する。
【結　論】
　原査定を取り消す。
　本願商標は、登録すべきものとする。
【理　由】
１　本願商標
　本願商標は、別掲（１）に示すとおりの構成よりなり、第９類「理化学機械器具，測定機械器具，配電用又は制御用の機械器具，回転変流機，調相機，電池，電気磁気測定器，電線及びケーブル，写真機械器具，映画機械器具，光学機械器具，眼鏡，加工ガラス（建築用のものを除く。），救命用具，電気通信機械器具，レコード，メトロノーム，電子応用機械器具及びその部品，オゾン発生器，電解槽，ロケット，遊園地用機械器具，スロットマシン，運動技能訓練用シミュレーター，乗物運転技能訓練用シミュレーター，電気アイロン，電気式ヘアカーラー，電気ブザー，乗物の故障の警告用の三角標識，発光式又は機械式の道路標識，鉄道用信号機，火災報知機，ガス漏れ警報器，盗難警報器，事故防護用手袋，消火器，消火栓，消火ホース用ノズル，スプリンクラー消火装置，消防艇，消防車，自動車用シガーライター，保安用ヘルメット，防火被服，防じんマスク，防毒マスク，溶接マスク，磁心，抵抗線，電極，映写フィルム，スライドフィルム，スライドフィルム用マウント，録画済みビデオディスク及びビデオテープ，ガソリンステーション用装置，自動販売機，駐車場用硬貨作動式ゲート，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，計算尺，ウエイトベルト，ウエットスーツ，浮袋，エアタンク，水泳用浮き板，レギュレーター，潜水用機械器具，アーク溶接機，金属溶断機，電気溶接装置，家庭用テレビゲームおもちゃ，検卵器，電動式扉自動開閉装置」を指定商品として、平成１１年４月２７日に登録出願されたものである。
　
２　原査定の引用商標
　原査定において、本願の拒絶の理由に引用した登録第１４８８０８６号商標は、別掲（２）に示すとおりの構成よりなり、昭和４１年６月２２日に登録出願、第２５類「日記らん付手帳」を指定商品として、昭和５６年１１月２７日に設定登録されたものである。同じく、登録第２６５０５５５号商標は、「ＤＩＡＲＹ」の文字を書してなり、平成４年３月４日に登録出願、第９類「産業機械器具，動力機械器具（電動機を除く），風水力機械器具，事務用機械器具（電子応用機械器具に属するものを除く），その他の機械器具で他の類に属しないもの，これらの部品及び附属品（他の類に属するものを除く），機械要素」を指定商品として、平成６年４月２８日に設定登録されたものである。同じく、登録第２７２２６３７号商標は、「ダイアリー」の文字を書してなり、平成２年１２月１４日に登録出願、第１１類「電気機械器具，その他本類に属する商品（但、電子応用機械器具を除く）」を指定商品として、平成９年８月１日に設定登録されたものである。同じく、登録第３３３８８８６号商標は、「ＤＩＡＲＹ」の文字を書してなり、平成６年１０月１１日に登録出願、第９類「理化学機械器具，測定機械器具，写真機械器具，光学機械器具」を指定商品として、平成９年８月１５日に設定登録されたものである。同じく、登録第４１２２３８７号商標は、「ダイアリー」及び「ＤＩＡＲＹ」の文字を上下二段に横書きしてなり、平成８年８月２６日に登録出願、第９類「加工ガラス（建築用のものを除く。），救命用具，レコード，メトロノーム，電子計算機用プログラムを記憶させた電子回路・磁気ディスク及び磁気テープ，その他の電子応用機械器具及びその部品，オゾン発生器，電解槽，ロケット，遊園地用機械器具，乗物の故障の警告用の三角標識，発光式又は機械式の道路標識，鉄道用信号機，火災報知機，盗難警報器，事故防護用手袋，消火器，消火栓，消火ホース用ノズル，消防艇，消防車，自動車用シガーライター，保安用ヘルメット，消火被服，防じんマスク，防毒マスク，溶接マスク，映写フィルム，スライドフィルム，スライドフィルム用マウント，録画済みビデオディスク及びビデオテープ，ガソリンステーション用装置，自動販売機，駐車場用硬貨作動式ゲート，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，ウエイトベルト，ウエットスーツ，浮き袋，エアタンク，水泳用浮き板，レギュレーター，潜水用機械器具，アーク溶接機，金属溶断機，電気溶接装置，犬笛，家庭用テレビゲームおもちゃ，検卵器，電動式扉自動開閉装置」を指定商品として、平成１０年３月６日に設定登録されたものである。同じく、登録第４３９４７１３号商標は、「ＤＩＡＲＹ」の文字を標準文字とし、平成１１年１月２５日に登録出願、第９類「眼鏡，加工ガラス（建築用のものを除く。），救命用具，レコード，メトロノーム，オゾン発生器，電解槽，ロケット，遊園地用機械器具，スロットマシン，運動技能訓練用シミュレーター，乗物運転技能訓練用シミュレーター，乗物の故障の警告用の三角標識，発光式又は機械式の道路標識，鉄道用信号機，火災報知機，ガス漏れ警報器，盗難警報器，消火器，消火栓，消火ホース用ノズル，スプリンクラー消火装置，消防艇，消防車，自動車用シガーライター，保安用ヘルメット，防火被服，防じんマスク，防毒マスク，溶接マスク，映写フィルム，スライドフィルム，スライドフィルム用マウント，録画済みビデオディスク及びビデオテープ，ガソリンステーション用装置，自動販売機，駐車場用硬貨作動式ゲート，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，潜水用機械器具，アーク溶接機，金属溶断機，電気溶接装置，家庭用テレビゲームおもちゃ，検卵器，電動式扉自動開閉装置」を指定商品として、平成１２年６月２３日に設定登録されたものである（以下、一括して「引用各商標」という。）。
　
３　当審の判断
　本願商標は、その構成別掲のとおり、欧文字と図形を刻印した金色の三角錐の上に青色の球体を乗せた図形よりなるものであるところ、その球体内には、浮遊する惑星、星雲等のいわゆる天体を表した図形とともに日記帳及び筆記具と思しき図形が描かれてなり、これらは天体の一つとして看ることができないとしても、該惑星図形等とバランスよく纏まって構成され、それ自体は、個々の事象、事物を表現してなるものとみるよりは、全体として類例のない特異な態様の図形との印象、すなわち、宇宙空間を表現した如きのものを想像させるものである。
　そして、本願商標のかかる構成にあって日記帳を描いた該図形部分は、他の三角錐、球体及び惑星等の各構成要素と視覚上一体的に看取し得るばかりでなく、それ自体が独立して自他商品の識別標識として認識されるものとは認め難いものであって、かつ、それに表示された筆記体の「Ｄｉａｒｙ」の文字は、単に該図形が日記帳を描いたことを特定する程度のものとみるのが自然である。
　そうとすると、本願商標は、該文字のみをもって取引に資されるとみるべき特段の事情は存しないものと判断するのが相当であるから、単に「ダイアリー」（日記、日記帳）の称呼、観念を生ずるものということはできない。　してみれば、本願商標のかかる構成より「ダイアリー」（日記、日記帳）の称呼、観念を生ずるものとし、それを前提に本願商標と引用各商標との類似を述べる拒絶査定の理由は妥当でなく、その理由をもって両商標を類似ものとすることはできない。
　また、本願商標と引用各商標は、前記の構成よりみて外観、観念においても相紛れるおそれはないものである。
　したがって、本願商標が商標法第４条第１項第１１号に該当するとして本願を拒絶することはできない。
　その他、本願について拒絶をすべき理由を発見しない。
　よって、結論のとおり審決する。